(57)【要約】【課題】保温、保冷性能といった断熱性に優れるとともに、ＰＥＴボトルの口栓の開閉が容易で、しかも、製造も容易な飲料容器収納用断熱容器を提供する。【解決手段】金属製の内筒１１及び外筒１２の間に断熱層を形成した断熱容器本体１３の一端に飲料容器（ＰＥＴボトル１９）の口栓部２０を挿通可能な上部開口１４を設け、他端に飲料容器を挿入可能な下部開口１６を設けるとともに、下部開口の縁部を覆うように設けたリング部材１７に、下部開口を開閉可能で飲料容器の底部を保持可能な底部材１８を設けた飲料容器収納用断熱容器における前記上部開口の縁部を断熱性被覆部材１５で覆うとともに、該断熱性被覆部材に、上部開口内に挿入されて先端が飲料容器の肩部に当接するリング状当接部２８を設けた。【選択図】    図１
2004217275.tif 000002
【特許請求の範囲】
【請求項１】
金属製の内筒及び外筒の間に断熱層を形成した断熱容器本体の一端に飲料容器の口栓部を挿通可能な上部開口を設け、他端に飲料容器を挿入可能な下部開口を設けるとともに、該下部開口の縁部を覆うリング部材を設け、該リング部材に、前記下部開口を開閉可能で飲料容器の底部を保持可能な底部材を設けた飲料容器収納用断熱容器において、前記上部開口の縁部を断熱性被覆部材で覆うとともに、該断熱性被覆部材に、上部開口内に挿入されて先端が飲料容器の肩部に当接するリング状当接部を設けたことを特徴とする飲料容器収納用断熱容器。
【請求項２】
金属製の内筒及び外筒の間に断熱層を形成した断熱容器本体の一端に飲料容器の口栓部を挿通可能な上部開口を設け、他端に飲料容器を挿入可能な下部開口を設けるとともに、該下部開口の縁部を覆うリング部材を設け、該リング部材に、前記下部開口を開閉可能で飲料容器の底部を保持可能な底部材を設けた飲料容器収納用断熱容器において、前記上部開口の近傍における前記内筒と前記外筒との間隔を断熱容器本体胴部よりも大きく形成するとともに、該上部開口の縁部を断熱性被覆部材で覆ったことを特徴とする飲料容器収納用断熱容器。
【請求項３】
金属製の内筒及び外筒の間に断熱層を形成した断熱容器本体の一端に飲料容器の口栓部を挿通可能な上部開口を設け、他端に飲料容器を挿入可能な下部開口を設けるとともに、該下部開口の縁部を覆うリング部材を設け、該リング部材に、前記下部開口を開閉可能で飲料容器の底部を保持可能な底部材を設けた飲料容器収納用断熱容器において、前記上部開口の近傍における前記内筒と前記外筒との間隔を断熱容器本体胴部よりも大きく形成し、内筒端部と外筒端部との間に水平方向の平坦部を設けるとともに、該平坦部との間に空間を形成するようにして上部開口の縁部を断熱性被覆部材で覆ったことを特徴とする飲料容器収納用断熱容器。
【請求項４】
前記上部開口の縁部は、内筒の端部と外筒の端部との間がリング状の肩部材により接続されていることを特徴とする請求項１乃至３のいずれか１項に記載の飲料容器収納用断熱容器。
【発明の詳細な説明】
【０００１】
【発明の属する技術分野】
本発明は、飲料容器収納用断熱容器に関し、詳しくは、飲料物を充填したＰＥＴボトルの口栓部を断熱容器本体から突出させた状態で保温、保冷状態で収納することができる飲料容器収納用断熱容器に関する。
【０００２】
【従来の技術】
お茶やジュース等の飲料物を充填したＰＥＴボトル（ポリエチレンテレフタレート製の飲料容器）の口栓部を突出させた状態で収納し、保温、保冷することができる飲料容器収納用断熱容器が広く市販されている（例えば、特許文献１参照。）。
【０００３】
【特許文献１】
特開２００１−１５８４８１号公報
【０００４】
【発明が解決しようとする課題】
しかし、従来の断熱容器は、収納したＰＥＴボトルと断熱容器の開口部との間に隙間ができやすく、また、特に金属製断熱容器では、熱が金属を伝わって逃げやすいため、十分な保温、保冷性能が得られなかったり、ＰＥＴボトルの口栓の開閉が面倒なものもあった。また、製造工程についても問題のあるものが多かった。
【０００５】
そこで本発明は、保温、保冷性能といった断熱性に優れるとともに、ＰＥＴボトルの口栓の開閉が容易で、しかも、製造も容易な飲料容器収納用断熱容器を提供することを目的としている。
【０００６】
【課題を解決するための手段】
上記目的を達成するため、本発明の飲料容器収納用断熱容器は、金属製の内筒及び外筒の間に断熱層を形成した断熱容器本体の一端に飲料容器の口栓部を挿通可能な上部開口を設け、他端に飲料容器を挿入可能な下部開口を設けるとともに、該下部開口の縁部を覆うリング部材を設け、該リング部材に、前記下部開口を開閉可能で飲料容器の底部を保持可能な底部材を設けた飲料容器収納用断熱容器において、第１の構成は、前記上部開口の縁部を断熱性被覆部材で覆うとともに、該断熱性被覆部材に、上部開口内に挿入されて先端が飲料容器の肩部に当接するリング状当接部を設けたことを特徴としている。
【０００７】
第２の構成は、前記上部開口の近傍における前記内筒と前記外筒との間隔を断熱容器本体胴部よりも大きく形成するとともに、該上部開口の縁部を断熱性被覆部材で覆ったことを特徴とし、さらに第３の構成は、前記上部開口の近傍における前記内筒と前記外筒との間隔を断熱容器本体胴部よりも大きく形成し、内筒端部と外筒端部との間に水平方向の平坦部を設けるとともに、該平坦部との間に空間を形成するようにして上部開口の縁部を断熱性被覆部材で覆ったことを特徴としている。
【０００８】
また、前記各構成において、前記上部開口の縁部が、内筒の端部と外筒の端部との間がリング状の肩部材により接続されていることを特徴とする請求項１乃至３のいずれか１項に記載の飲料容器収納用断熱容器。
【０００９】
【発明の実施の形態】
図１は本発明の一形態例を示す飲料容器収納用断熱容器の一部断面正面図、図２は要部の断面図、図３は他の形態例を示す要部の断面図である。まず、図１及び図２に示す飲料容器収納用断熱容器は、金属製、例えばステンレス鋼製の内筒１１及び外筒１２とから構成され、内外筒間を断熱層とした断熱容器本体１３と、この断熱容器本体１３の上部開口１４に装着された、例えば合成樹脂のような断熱性に優れた材料からなる断熱性被覆部材１５と、下部開口１６に装着された同じく断熱性に優れた材料からなるリング部材１７及び底部材１８とで形成されている。
【００１０】
上部開口１４の縁部を覆う前記断熱性被覆部材１５は、断熱容器本体１３の内部に収納した市販の５００ｍｌのＰＥＴボトル１９の口栓部２０を挿通可能な内径を有する通孔２１を中心に設けたリング状のものであって、内筒１１の内周に挿入された状態となる内周部２２と、外筒１２の外周に嵌合する外周部２３と、内周部２２及び外周部２３の上端を接続する天板部２４とにより形成されている。また、外周部２３の内周には、外筒１２の外周に形成した周状凸部２５に係止する係止溝２６が設けられ、外周には携帯用ストラップを通すための吊部２７が突設されている。さらに、内周部２２の先端（下端）には、内筒１１内面より下方に突出したリング状当接部２８が設けられており、ＰＥＴボトル１９を収納したときに、このリング状当接部２８がＰＥＴボトル１９の肩部に当接することにより、ＰＥＴボトル１９と内筒１１とが接触しない状態に保持するとともに、ＰＥＴボトル１９の肩部にリング状に隙間無く当接することにより、断熱容器本体１３の内部空間と外気とを遮断するようにしている。
【００１１】
このように、ＰＥＴボトル１９の肩部と内筒１１の金属面とを接触させないように形成することにより、ＰＥＴボトル１９の熱（冷熱）が内筒１１の金属に伝わり、金属同士の伝熱によって外筒１２に伝わり、外筒１２と外気との熱移動によって保温、保冷性能が損なわれることがなくなる。さらに、リング状当接部２８を断熱容器本体１３内に僅かに突出させてＰＥＴボトル１９の肩部に当接させることにより、ＰＥＴボトル１９の肩部に多少の凹凸があっても、肩部が多少変形してリング状当接部２８に確実に当接した状態になるので、断熱容器本体１３の内部空間と外気とを確実に遮断することができ、断熱容器本体１３の内部空間に封じ込められた状態の空気に対して温度差がある外気がＰＥＴボトル１９の周囲に流入することがなくなり、保温、保冷性能を更に向上させることができる。
【００１２】
また、断熱性被覆部材１５を合成樹脂で形成することにより、ＰＥＴボトル１９との接触が合成樹脂同士で、かつ、リング状当接部２８がＰＥＴボトル１９の肩部に僅かに食い込んだ状態となるので、金属の平面状部分と接触する場合に比べて接触抵抗を大きくすることができ、ＰＥＴボトル１９の口栓部２０を開閉する際にボトル本体が同時に回転してしまうともまわりも抑制できる。さらに、冷えたＰＥＴボトル１９を収納したときでも、上部開口１４の結露を確実に防止できる。
【００１３】
さらに、上部開口１４の近傍では、内筒１１に比べて外筒１２の絞りを緩やかとし、内筒１１と外筒１２との間隔Ｌ１（図２参照）を断熱容器本体１３の胴部の間隔Ｌ２（図１参照）よりも大きくなるように形成している。このように形成することにより、断熱容器本体１３の内部空間に接する内筒１１から外気に接する外筒１２に至る上部開口１４部分の伝熱距離を長くすることができるので、保温、保冷性能を向上させることができる。このとき、前記リング状当接部２８を設けずに、ＰＥＴボトル１９の肩部が内筒１１の内面と接触していたとしても、従来の飲料容器収納用断熱容器に比べて伝熱距離が長いので、金属部分の伝熱速度を抑えることができる。
【００１４】
加えて、本形態例に示す飲料容器収納用断熱容器では、上述のように内筒１１と外筒１２との間隔を拡げた際に、内筒１１の開口端部と外筒１２の開口端部との間を、水平方向の平坦部３１を有するリング状の肩部材３２で接続して内外筒間を密封するようにしている。前記平坦部３１は、断熱容器本体１３の断熱層を真空断熱層とするときに、真空排気口を設けてろう材を載置する部分として利用することができる。すなわち、真空加熱炉で断熱層の真空排気と排気口の封止とを行う際に、飲料容器収納用断熱容器を直立させて真空排気口の部分にろう材を載置しておくだけでよいため、他の位置に真空排気口を設けたものに比べてろう材の固定が不要となり、真空排気工程を簡略化することができる。
【００１５】
また、この平坦部３１の下面にガス吸収用のゲッターを設けておくこともできるので、真空断熱層の真空度、すなわち断熱性能を長期にわたって確保することができる。また、平坦部３１と断熱性被覆部材１５との間に空間を形成しておくことにより、断熱層を真空断熱層として平坦部３１に封止部を設けた場合に、封止部に衝撃が加わることを防止できるとともに、この部分に大気が流入しにくくなり断熱性を向上させることができる。
【００１６】
なお、前記肩部材３２を設けることにより、内筒１１及び外筒１２における成形性が向上して両筒の製造を容易に行うことができるが、図３に示すように、外筒１２の開口端を内方に水平方向に延出して平坦部３１を外筒１２と一体形成し、平坦部３１の内周を内筒１１の開口端に接続するようにしてもよい。この場合は、部材数の低減と断熱容器本体１３における溶着箇所の低減とが図れる。
【００１７】
一方、断熱容器本体１３の下部開口１６には、内筒１１及び外筒１２の溶着部を覆うようにして前記リング部材１７が装着されている。このリング部材１７の内径は、市販の５００ｍｌのＰＥＴボトル１９のボトル胴部を挿入可能な大きさに形成されており、リング部材１７の外周部分に雄ねじ４１が設けられている。
この雄ねじ４１は、下部開口１６を開閉するとともに、断熱容器本体１３内に収納したＰＥＴボトル１９を上部開口１４方向に押圧する前記底部材１８を螺合させて固定するためものであって、底部材１８の筒部内周に設けられた雌ねじ４２と前記雄ねじ４１とは、ＰＥＴボトル１９の高さ寸法の相違に対応できるように、ねじ込み量に余裕を持たせている。
【００１８】
また、底部材４４の内部には、ＰＥＴボトル１９の底部を保持するための保持部材４３が空間部を介して設けられており、ＰＥＴボトル１９の底部を底部材１８の底面からできるだけ離れた位置に保持するようにして保温、保冷性能を損なわないようにしている。更に、保持部材４３の周辺部を上方に屈曲させておくことにより、収納したＰＥＴボトル１９を断熱容器本体１３の中心に確実に保持することができ、断熱性の向上とともに、携帯時のがたつきも防止することができる。
【００１９】
なお、前記底部材１８は、上述の螺合による固定がＰＥＴボトル１９の保持や前記リング状当接部２８への押し付け力の点等で最も望ましいが、ＰＥＴボトル１９を断熱容器本体１３内に保持できれば、一方にリング部材１７とのヒンジ結合部を設け、他方に閉じ状態を維持する留め具を設けた固定方法であってもよい。
【００２０】
また、本発明の飲料容器収納用断熱容器は、ＰＥＴボトルの収納を主としたものであるが、近年市販されている金属製飲料容器の収納にも適用可能であり、この場合も従来の飲料容器収納用断熱容器より優れた断熱性能を発揮することができる。
【００２１】
【実施例】
４℃の冷水を５００ｍｌ入れた５００ｍｌＰＥＴボトルを、図１に示す形状の飲料容器収納用断熱容器に入れ、ＰＥＴボトルの肩部にリング状当接部のみが接触するようにした。これを２０℃の恒温槽に放置したところ、３時間後のＰＥＴボトル内の水温は１１℃となっていた。
【００２２】
比較のため、同じ冷水入りのＰＥＴボトルを布製のポーチに入れたものと、入れないもの（ＰＥＴボトルそのまま）とを同じ恒温槽に放置したところ、３時間後の水温は、それぞれ１４℃、１９℃に昇温していた。
【００２３】
【発明の効果】
以上説明したように、本発明の飲料容器収納用断熱容器によれば、断熱容器本体における上部開口付近の断熱性能を従来に比べて大幅に向上させることができる。したがって、断熱容器本体の上部を覆うカップ状の上部蓋体を設けなくても十分な保温性能、保冷性能が得られる。
【図面の簡単な説明】
【図１】本発明の一形態例を示す飲料容器収納用断熱容器の一部断面正面図である。
【図２】要部の断面図である。
【図３】他の形態例を示す要部の断面図である。
【符号の説明】
１１…内筒、１２…外筒、１３…断熱容器本体、１４…上部開口、１５…断熱性被覆部材、１６…下部開口、１７…リング部材、１８…底部材、１９…ＰＥＴボトル、２０…口栓部、２１…通孔、２２…内周部、２３…外周部、２４…天板部、２５…周状凸部、２６…係止溝、２７…吊部、２８…リング状当接部、３１…平坦部、３２…肩部材、４１…雄ねじ、４２…雌ねじ、４３…保持部材
【図１】
2004217275.tif 000003
【図２】
2004217275.tif 000004
【図３】
2004217275.tif 000005